(57)【要約】【課題】ケース内に、微小な異物が侵入しても接触不良や導通不良が生じないようにしたスイッチを提供する。【解決手段】常閉側の固定片１２および常開側の固定片１３には、従来の固定接点に代えて、シートスイッチ１４，１５を設けており、可動片８の変位によって、その遊端部１０でシートスイッチ１４，１５を押圧するように構成する。また、シートスイッチ１４の一方の接点シートを、固定片１２に電気的に接続するとともに、他方の接点シートを、下ケース２の内面に形成された配線２３に電気的に接続し、シートスイッチ１５の一方の接点シートを、固定片１３に電気的に接続するとともに、他方の接点シートを、下ケース２の内面に形成された配線２３に電気的に接続する。配線２３は、共通固定端子５に連なるように形成されている。【選択図】  図１
2008135250.tif 000002
【特許請求の範囲】
【請求項１】
固定片および可動片を備えるスイッチであって、
前記固定片または前記可動片に、シートスイッチを設け、前記可動片の変位によって、前記シートスイッチを押圧することを特徴とするスイッチ。
【請求項２】
前記固定片に、前記シートスイッチを設け、前記可動片の遊端部で、前記シートスイッチを押圧する請求項１に記載のスイッチ。
【請求項３】
前記固定片および前記可動片が、スイッチケースに収納されるとともに、該スイッチケースに変位可能に支持されたアクチュエータを備え、
前記可動片が、前記アクチュエータの変位作動によってスナップ作動して、前記シートスイッチの接点切換えを行なう請求項２に記載のスイッチ。
【請求項４】
前記スイッチケースには、複数の端子が設けられ、前記シートスイッチの各接点が、各端子にそれぞれ接続される請求項３に記載のスイッチ。
【発明の詳細な説明】
【技術分野】
【０００１】
本発明は、各種の機械装置や各種設備において、作動部材の位置検出などに好適なマイクロスイッチ、リミットスイッチあるいは押しボタンスイッチなどの有接点のスイッチに関する。
【背景技術】
【０００２】
有接点のスイッチ、例えば、マイクロスイッチとしては、スイッチケース内にスイッチング機構を組み込み、アクチュエータとしての押しボタンの変位作動によってスイッチング機構における可動片をスナップ作動させて、接点の切換えを行うように構成したものが、広く活用されている（例えば、特許文献１参照）。
【特許文献１】特開２０００−２１５７５１号公報
【発明の開示】
【発明が解決しようとする課題】
【０００３】
かかるマイクロススッチでは、その接点間に、例えば、数〜数十μｍ程度の微小な異物が存在するだけで、接触不良や導通不良を引き起こすという課題がある。
【０００４】
かかる数〜数十μｍサイズの異物は、スイッチを構成する部品の製造環境、スイッチの組立環境、あるいは、ケースの材質等のために、完全に排除するのは困難である。
【０００５】
本発明は、このような実情に着目してなされたものであって、ケース内に、微小な異物が侵入しても接触不良や導通不良が生じないようにしたスイッチを提供することを目的とする。
【課題を解決するための手段】
【０００６】
（１）本発明のスイッチは、固定片および可動片を備えるスイッチであって、前記固定片または前記可動片に、シートスイッチを設け、前記可動片の変位によって、前記シートスイッチを押圧するものである。
【０００７】
シートスイッチは、対向する接点シートを、スペーサを介して貼り合わせ、接点部分を押圧して導通させる、いわゆるメンブレンスイッチである。
【０００８】
シートスイッチは、固定片または可動片のいずれに設けてもよいが、固定片に設けるのが好ましい。
【０００９】
固定片は、単数であってもよいし、複数であってもよく、常開用の固定片および常閉用の固定片を備えるのが好ましい。
【００１０】
本発明によると、固定片または可動片には、従来のような銀合金などの接点ではなく、シートスイッチを設け、可動片の変位によって、シートスイッチを押圧してオンするものであり、かかるシートスイッチでは、接点間はポリエステルフィルムなどのシートによって完全に密封されており、したがって、接点間に異物が侵入することはない。
【００１１】
（２）本発明のスイッチの一つの実施形態では、前記固定片に、前記シートスイッチを設け、前記可動片の遊端部で、前記シートスイッチを押圧するようにしてもよい。
【００１２】
この実施形態によると、可動片の遊端部は、その変位によって、固定片に設けられたシートスイッチを押圧するものであって、電気的な接続の必要はなく、したがって、可動片には、銀合金等の高価な材料の可動接点を設ける必要はなく、安価な材料で前記遊端部を構成することができる。
【００１３】
（３）上記（２）の実施形態では、前記固定片および前記可動片が、スイッチケースに収納されるとともに、該スイッチケースに変位可能に支持されたアクチュエータを備え、前記可動片が、前記アクチュエータの変位作動によってスナップ作動して、前記シートスイッチの接点切換えを行なうものである。
【００１４】
この実施形態によると、スナップ動作によって、アクチュエータの操作速度と無関係に、可動片が、高速で移動して接点を切り換えることができる。
【００１５】
（４）上記（３）の実施形態では、前記スイッチケースには、複数の端子が設けられ、前記シートスイッチの各接点が、各端子にそれぞれ接続されるものである。
【００１６】
この実施形態によると、シートスイッチの一方の接点を、固定片に対応する端子に接続し、他方の接点を、可動片に対応する端子に接続することにより、アクチュエータの変位作動に応じた接点出力を、スイッチケースの端子から取り出すことができる。
【発明の効果】
【００１７】
本発明によれば、固定片または可動片には、従来のような銀合金などからなる接点を設けるのではなく、シートスイッチを設け、可動片の変位によって、シートスイッチのオンオフを行うようにしているので、シートで密閉された接点間に異物が侵入することがなく、これによって、接触不良や導通不良が生じるのを防止することができる。
【発明を実施するための最良の形態】
【００１８】
以下、図面によって、本発明の実施形態について詳細に説明する。
【００１９】
図１は、本発明に係るマイクロスイッチの縦断面図である。
【００２０】
この実施形態のマイクロスイッチ１は、下ケース２とカバーケース３とからなるスイッチケース４を備え、下ケース２には、共通固定端子５、常閉固定端子６および常開固定端子７が設けられている。共通固定端子５には、可動片８の基端側が支持されており、さらに、この共通固定端子５には、前記可動片８のスナップアクション用の一対の圧縮ばね部８ａの基端側を係合溝でそれぞれ係合支持する一対の受け金９が装備されている。可動片８の遊端側の可動接点１０は、後述のように、電気的な接続の必要がないので、従来の銀合金などに比べて安価な材料、例えば、真鍮から構成される。なお、真鍮に限らず、樹脂材料などであってもよい。
【００２１】
常閉固定端子６および常開固定端子７には、固定片１２，１３がそれぞれカシメ固定されている。
【００２２】
カバーケース３には、可動片８の基端側に当接作用するアクチュエータとしての押しボタン１１が摺動可能に支持されている。
【００２３】
この実施形態では、スイッチケース４内に、微小な異物が侵入しても接触不良や導通不良が生じないように、次のように構成している。
【００２４】
すなわち、固定片１２，１３には、従来のような銀合金などからなる固定接点は設けられておらず、固定接点に代えて、シートスイッチ（メンブレンスイッチ）１４，１５が、それぞれ貼設されている。
【００２５】
シートスイッチ１４，１５は、図２に示すように、ポリエステルフィルムなどからなる上部接点シート１６と下部接点シート１７とを、同じくポリエステルフィルムなどからなるスペーサ１８を介して貼り合わせたものであり、各接点シート１６，１７には、上部接点１９および下部接点２０が、対向するようにそれぞれ形成され、導電性インクの印刷配線２１，２２によってそれぞれ引き出されて、後述のように、共通固定端子（ＣＯＭ）５、常開固定端子（ＮＯ）７、あるいは、常閉固定端子（ＮＣ）６に接続される。なお、表面側および裏面側には、図示しない保護シートなどが貼着される。
【００２６】
このシートスイッチ１４，１５は、薄いものが好ましく、例えば、１ｍｍ以下であるのが好ましい。
【００２７】
また、シートスイッチ１４，１５は、その動作力が、可動片８のよる押圧力（接触力）よりも小さいものが用いられる。
【００２８】
この実施形態では、可動片８を省略した図３の一部拡大断面図に示すように、常閉側のシートスイッチ１４の一方の接点シートの印刷配線を、金属製の固定片１２に半田や導電性接着剤などによって接続するとともに、他方の接点シートの印刷配線を、下ケース２の内面に形成した配線２３に接続する。この配線２３は、下ケース２の内面に沿って共通固定端子５に連なるように、例えば、メッキや印刷によって形成されている。
【００２９】
また、常開側のシートスイッチ１５の一方の接点シートの印刷配線を、金属製の固定端子１３に半田や導電性接着剤などによって接続するとともに、他方の接点シートの印刷配線を、下ケース２の内面に形成した配線２３に接続する。
【００３０】
図４は、この配線構成を示す図である。この図４に示すように、シートスイッチ１４の一方の接点シートの印刷配線は、固定片１２を介して常閉固定端子６に接続されるとともに、他方の接点シートの印刷配線は、下ケース２の内面に形成された配線２３を介して共通固定端子５に接続される。
【００３１】
また、シートスイッチ１５の一方の接点シートの印刷配線は、固定片１３を介して常閉固定端子７に接続されるとともに、他方の接点シートの印刷配線は、下ケース２の内面に形成された配線２３を介して共通固定端子５に接続される。
【００３２】
次に、以上の構成を有するスイッチの動作を説明する。
【００３３】
押しボタン１１に外力をかけない常態においては、図１および図４に示すように、可動片８の圧縮ばね部８ａの弾性復元力によって可動片８の遊端側が上方に付勢変位されて、可動接点１０が固定片１２の常閉側のシートスイッチ１４に圧接されており、シートスイッチ１４のオン状態が維持されている。
【００３４】
押しボタン１１が押し込み操作されて可動片８が下方変位して動作位置に達すると、瞬時に圧縮ばね部８ａの弾性復元力が可動片８を下方に付勢変位するように反転し、可動接点１０が固定片１３の常開側のシートスイッチ１５に圧接されて接点切換が行われる。
また、復帰に際しては、押しボタン１１が上方に変位し、前記動作位置を過ぎると、圧縮ばね部８ａの弾性復元力が可動片８を上方に付勢変位するように反転し、可動接点１０が固定片１２のシートスイッチ１４に圧接されて復帰する。
【００３５】
以上のように、この実施形態では、常閉側および常開側の接点を、シートスイッチ１４，１５で構成したので、接点が、従来のようにスイッチケース４内に露出することがなく、これによって、スイッチケース４内に、微小な異物が存在しても、接触不良や導通不良を引き起こすといったことがない。
【００３６】
また、シートスイッチ１４，１５では、接点間がシートによって密封されているので、接点に有害なガス、例えば、封止用のシリコーンゴムなどから生じるガスなどに対しても有効である。
【００３７】
また、固定片１２，１３および下ケース２を除いて、従来のマイクロスイッチと互換性があり、コストの低減などに有効である。
【００３８】
上述の実施形態では、マイクロスイッチに適用して説明したけれども、本発明は、マイクロスイッチに限るものではなく、リミットスイッチ、押しボタンスイッチ、その他の有接点のスイッチに適用できるものである。
【産業上の利用可能性】
【００３９】
本発明は、マイクロスイッチ、リミットスイッチ、押しボタンスイッチ等の各種のスイッチとして有用である。
【図面の簡単な説明】
【００４０】
【図１】マイクロスイッチの縦断面図である。
【図２】シートスイッチの要部の構成を示す斜視図である。
【図３】シートスイッチの接点の接続を示す拡大図である。
【図４】配線構成を示す図である。
【符号の説明】
【００４１】
２              下ケース
４              スイッチケース
５              共通固定端子
６              常閉固定端子
７              常開固定端子
８              可動片
１２，１３      固定片
１４，１５      シートスイッチ
２３            配線
【図１】
2008135250.tif 000003
【図２】
2008135250.tif 000004
【図３】
2008135250.tif 000005
【図４】
2008135250.tif 000006